(57)【要約】      （修正有）【課題】ユーザの行動を分析し、ユーザに必要なコンテンツを提供する装置を提供する。【解決手段】コンテンツ提供装置が位置検知部で検知したユーサ゛の位置検知信号をコンテンツ提供サーハ゛に送信する段階と、コンテンツ提供装置が動作認識部で認識したユーサ゛の動作認識信号をコンテンツ提供サーハ゛に送信する段階と、コンテンツ提供装置が生体信号検知部から受信したユーサ゛の生体信号をコンテンツ提供サーハ゛に送信する段階と、制御部が位置検知信号及び動作認識信号に基づいてユーサ゛の状態を決定する段階と、制御部が決定されたユーサ゛の状態及び生体信号に基づいてユーサ゛の生体活動を予測する段階と、コンテンツ提供サーハ゛がユーサ゛の位置及び生体信号のうちの少なくとも１つに基づいて予測されたユーサ゛の生体活動に対応するコンテンツをコンテンツ提供装置に送信する段階と、を含む。【選択図】図２
2015011699.tif 000002
【特許請求の範囲】
【請求項１】
位置検知部と動作認識部を含むコンテンツ提供装置、制御部を含むコンテンツ提供サーバ又は前記コンテンツ提供装置と別途又は一体型に形成される生体信号検知部で実行されるコンテンツ提供方法であって、
前記コンテンツ提供装置が前記位置検知部で検知したユーザの位置検知信号を前記コンテンツ提供サーバに送信する段階と、
前記コンテンツ提供サーバが前記コンテンツ提供装置から前記ユーザの位置検知信号を受信する段階と、
前記コンテンツ提供装置が前記動作認識部で認識した前記ユーザの動作認識信号を前記コンテンツ提供サーバに送信する段階と、
前記コンテンツ提供サーバが前記コンテンツ提供装置から前記ユーザの動作認識信号を受信する段階と、
前記コンテンツ提供装置が前記生体信号検知部から受信したユーザの生体信号を前記コンテンツ提供サーバに送信する段階と、
前記コンテンツ提供サーバが前記コンテンツ提供装置又は前記生体信号検知部から前記ユーザの生体信号を受信する段階と、
前記制御部が前記位置検知信号及び前記動作認識信号に基づいてユーザの状態を決定する段階と、
前記制御部が前記決定されたユーザの状態及び生体信号に基づいて前記ユーザの生体活動を予測する段階と、
前記コンテンツ提供サーバが前記位置検知信号と前記動作認識信号に基づいて決定された前記ユーザの状態を用いて把握されたユーザの位置及び前記生体信号のうちの少なくとも１つに基づいて予測されたユーザの生体活動に対応するコンテンツを前記コンテンツ提供装置に送信する段階と、
前記コンテンツ提供装置が前記ユーザの生体活動に対応するコンテンツを前記コンテンツ提供サーバから受信する段階と、
前記コンテンツ提供装置が前記受信したコンテンツを提供する段階と、
を含むコンテンツ提供方法。
【請求項２】
前記ユーザの生体信号を前記コンテンツ提供サーバに送信する段階で、ユーザの心拍数、温度又は呼吸周期のうちの少なくとも１つの生体信号を前記コンテンツ提供サーバに送信することを特徴とする、請求項１に記載のコンテンツ提供方法。
【請求項３】
前記ユーザの生体活動を予測する段階で、ユーザの心拍数、温度又は呼吸周期のうちの少なくとも１つの生体信号に基づいて前記ユーザの生体活動を予測することを特徴とする、請求項１に記載のコンテンツ提供方法。
【請求項４】
前記ユーザの位置が室内であることが決定されるか、前記ユーザの生体活動が睡眠中であることが予測されたとき、目的地と到着予定時間が設定されているかを判断し、目的地と到着予定時間が設定されていれば、前記到着予定時間以内に前記目的地に到達できる経路情報、交通情報及び移動時間中の天気情報のうちの少なくとも１つを含むコンテンツを前記コンテンツ提供装置に転送することを特徴とする、請求項１又は３に記載のコンテンツ提供方法。
【請求項５】
前記ユーザの位置が室内であることが決定されるか、前記ユーザの生体活動が睡眠中であることが予測されたとき、ユーザの生活パターンに基づいて到着予定時間に目的地に到達できる経路情報、公共交通機関を含む交通情報及び出発時間のうちの少なくとも１つを含むコンテンツを前記コンテンツ提供装置に転送することを特徴とする、請求項１又は３に記載のコンテンツ提供方法。
【請求項６】
前記ユーザの生体活動が徒歩又は自動車搭乗であることが予測されたとき、目的地と到着予定時間が設定されているかを判断し、目的地と到着予定時間が設定されていれば、前記到着予定時間以内に前記目的地に到達できる経路情報及び前記目的地に到達できる公共交通機関に関する交通情報のうちの少なくとも１つを含むコンテンツを前記コンテンツ提供装置に転送することを特徴とする、請求項１に記載のコンテンツ提供方法。
【請求項７】
前記ユーザの生体活動が走り、自転車乗り又は登山のうちの1つであることが予測されれば、健康情報、経路情報及び消費したカロリー情報を含むコンテンツを前記コンテンツ提供装置に転送し、前記経路情報にはユーザの以前の移動速度と位置が含まれることを特徴とする、請求項６に記載のコンテンツ提供方法。
【請求項８】
前記ユーザの生体活動が登山であることが予測されれば、当日の天気による前記ユーザの予想下山時間を考慮し、登山道の待避所の位置に関する経路情報を含むコンテンツを前記コンテンツ提供装置に転送することを特徴とする、請求項１に記載のコンテンツ提供方法。
【請求項９】
前記コンテンツを前記コンテンツ提供装置に転送する段階で、健康情報、天気情報、経路情報、交通情報、ニュース情報又は広告のうちの少なくとも１つのコンテンツを前記コンテンツ提供装置に転送することを特徴とする、請求項１に記載のコンテンツ提供方法。
【請求項１０】
ユーザの位置を検知する位置検知部と、
ユーザの動作を認識する動作認識部と、
ユーザの位置検知信号及び動作認識信号をコンテンツ提供サーバに送信し、ユーザの生体信号を検知する生体信号検知部から生体信号を受信し、前記コンテンツ提供サーバからコンテンツを受信する通信部と、
前記受信したコンテンツを提供する表示部と、
を含むコンテンツ提供装置。
【請求項１１】
前記通信部は、ユーザの心拍数、温度又は呼吸周期のうちの少なくとも１つの生体信号を前記コンテンツ提供サーバに送信することを特徴とする、請求項１０に記載のコンテンツ提供装置。
【請求項１２】
前記コンテンツ提供装置は、ナビゲーションシステム又はスマートフォンを含むことを特徴とする、請求項１０に記載のコンテンツ提供装置。
【請求項１３】
前記コンテンツ提供装置は、メガネ又は時計のうちの１つである別途の表示部を更に含むことを特徴とする、請求項１０に記載のコンテンツ提供装置。
【請求項１４】
前記メガネは、既に設定されている基準に従って左側又は右側レンズを選択して前記コンテンツを提供することを特徴とする、請求項１３に記載のコンテンツ提供装置。
【請求項１５】
前記メガネは、前記左側又は右側レンズの上、下、左、右領域に前記コンテンツを提供することを特徴とする、請求項１３に記載のコンテンツ提供装置。
【請求項１６】
コンテンツ提供装置からユーザの位置検知信号、動作認識信号及び生体信号を受信する追加通信部と、
コンテンツ提供装置に提供する１つ以上のコンテンツが格納されたメモリ部と、
前記位置検知信号及び前記動作認識信号に基づいてユーザの状態を決定し、前記決定されたユーザの状態を用いて把握されたユーザの位置及び生体信号に基づいてユーザの生体活動を予測し、前記予測されたユーザの生体活動に対応するコンテンツを前記メモリ部から検出して前記通信部を介して前記コンテンツ提供装置に転送する制御部と、
を含むコンテンツ提供サーバ。
【請求項１７】
前記制御部は、ユーザの心拍数、温度又は呼吸周期のうちの少なくとも１つの生体信号に基づいて前記ユーザの生体活動を予測することを特徴とする、請求項１６に記載のコンテンツ提供サーバ。
【請求項１８】
前記制御部は、健康情報、天気情報、経路情報、交通情報、ニュース情報又は広告のうちの少なくとも１つのコンテンツを前記コンテンツ提供装置に転送することを特徴とする、請求項１６に記載のコンテンツ提供サーバ。
【発明の詳細な説明】
【技術分野】
【０００１】
本発明はコンテンツ提供装置、その提供方法及びサーバに関し、更に詳しくは、ユーザの行動を分析し、ユーザの位置及び状態を判断してユーザに必要な多様なコンテンツを能動的に提供できるコンテンツ提供装置、その提供方法及びサーバに関する。
【背景技術】
【０００２】
一般に、例えば、車両又はスマートフォンに搭載されたナビゲーション装置は、ＧＰＳ（Ｇｌｏｂａｌ Ｐｏｓｉｔｉｏｎｉｎｇ Ｓｙｓｔｅｍ）衛星を介して受信した車両の位置情報に基づいて現在の自身の位置を把握した後、内蔵又は受信した道路データベースから現在位置のデータを読み出し、画面に車両の位置と共に表示することで、ユーザが現在走行する道路の位置を識別したり、初めて走る道路で走行する際に目的地を容易に見つけ出せるように補助する装置である。
【０００３】
近年は、ユーザのニーズを充足するために、ユーザが目的地を設定すれば、出発地から目的地までの予想到着時間を案内したり、目的地までの道路状況に応じた迂回道路を提案するなどの先進技術がナビゲーションやスマートフォンに融合されてユーザに、より正確な経路情報を提供している。
【０００４】
このように目的地までの経路を案内する技術においては、ユーザのニーズを充足するために技術が高度化しつつある。
【先行技術文献】
【特許文献】
【０００５】
【特許文献１】韓国特許公開第２０１２-０１３６９７４号公報
【発明の概要】
【発明が解決しようとする課題】
【０００６】
更に、最近になってナビゲーションやスマートフォンを介して目的地までの経路のみを案内するのではなく、音楽や映像のような多様なコンテンツを提供する機能が追加されている。
【０００７】
しかし、従来のナビゲーションを介してコンテンツの提供を受けるためには、ユーザが直接ナビゲーションを操作して利用したいコンテンツを直接選択しなければならないという煩わしさがあり、提供されるコンテンツの種類も非常に制限的であるため、ユーザを十分に満足させることができていない。
【０００８】
そこで、本発明は上記事情に鑑みてなされたものであって、その目的は、ユーザの行動を分析し、ユーザの位置及び状態を判断してユーザに必要な多様なコンテンツを能動的に提供できるコンテンツ提供装置、その提供方法及びサーバを提供することにある。
【課題を解決するための手段】
【０００９】
本発明の一側面によるコンテンツ提供方法は、位置検知部と動作認識部を含むコンテンツ提供装置、制御部を含むコンテンツ提供サーバ又は前記コンテンツ提供装置と別途又は一体型に形成される生体信号検知部で実行されるコンテンツ提供方法であって、前記コンテンツ提供装置が前記位置検知部で検知したユーザの位置検知信号を前記コンテンツ提供サーバに送信する段階と、前記コンテンツ提供サーバが前記コンテンツ提供装置から前記ユーザの位置検知信号を受信する段階と、前記コンテンツ提供装置が前記動作認識部で認識した前記ユーザの動作認識信号を前記コンテンツ提供サーバに送信する段階と、前記コンテンツ提供サーバが前記コンテンツ提供装置から前記ユーザの動作認識信号を受信する段階と、前記コンテンツ提供装置が前記生体信号検知部から受信したユーザの生体信号を前記コンテンツ提供サーバに送信する段階と、前記コンテンツ提供サーバが前記コンテンツ提供装置又は前記生体信号検知部から前記ユーザの生体信号を受信する段階と、前記制御部が前記位置検知信号及び前記動作認識信号に基づいてユーザの状態を決定する段階と、前記制御部が前記決定されたユーザの状態及び生体信号に基づいて前記ユーザの生体活動を予測する段階と、前記コンテンツ提供サーバが前記位置検知信号と前記動作認識信号に基づいて決定された前記ユーザの状態を用いて把握されたユーザの位置及び前記生体信号のうちの少なくとも１つに基づいて予測されたユーザの生体活動に対応するコンテンツを前記コンテンツ提供装置に送信する段階と、前記コンテンツ提供装置が前記ユーザの生体活動に対応するコンテンツを前記コンテンツ提供サーバから受信する段階と、前記コンテンツ提供装置が前記受信したコンテンツを提供する段階とを含む。
【００１０】
本発明は、前記ユーザの生体信号を前記コンテンツ提供サーバに送信する段階で、ユーザの心拍数、温度又は呼吸周期のうちの少なくとも１つの生体信号を前記コンテンツ提供サーバに送信することを特徴とする。
【００１１】
本発明は、前記ユーザの生体活動を予測する段階で、ユーザの心拍数、温度又は呼吸周期のうちの少なくとも１つの生体信号に基づいて前記ユーザの生体活動を予測することを特徴とする。
【００１２】
本発明は、前記ユーザの位置が室内であることが決定されるか、前記ユーザの生体活動が睡眠中であることが予測されたとき、目的地と到着予定時間が設定されているかを判断し、目的地と到着予定時間が設定されていれば、前記到着予定時間以内に前記目的地に到達できる経路情報、交通情報及び移動時間中の天気情報のうちの少なくとも１つを含むコンテンツを前記コンテンツ提供装置に転送することを特徴とする。
【００１３】
本発明は、前記ユーザの位置が室内であることが決定されるか、前記ユーザの生体活動が睡眠中であることが予測されたとき、ユーザの生活パターンに基づいて到着予定時間に目的地に到達できる経路情報、公共交通機関を含む交通情報及び出発時間のうちの少なくとも１つを含むコンテンツを前記コンテンツ提供装置に転送することを特徴とする。
【００１４】
本発明は、前記ユーザの生体活動が徒歩又は自動車搭乗であることが予測されたとき、目的地と到着予定時間が設定されているかを判断し、目的地と到着予定時間が設定されていれば、前記到着予定時間以内に前記目的地に到達できる経路情報及び前記目的地に到達できる公共交通機関に関する交通情報のうちの少なくとも１つを含むコンテンツを前記コンテンツ提供装置に転送することを特徴とする。
【００１５】
本発明は、前記ユーザの生体活動が走り、自転車乗り又は登山のうちの1つであることが予測されれば、健康情報、経路情報及び消費したカロリー情報を含むコンテンツを前記コンテンツ提供装置に転送し、前記経路情報にはユーザの以前の移動速度と位置が含まれることを特徴とする。
【００１６】
本発明は、前記ユーザの生体活動が登山であることが予測されれば、当日の天気による前記ユーザの予想下山時間を考慮し、登山道の待避所の位置に関する経路情報を含むコンテンツを前記コンテンツ提供装置に転送することを特徴とする。
【００１７】
本発明は、前記コンテンツを前記コンテンツ提供装置に転送する段階で、健康情報、天気情報、経路情報、交通情報、ニュース情報又は広告のうちの少なくとも１つのコンテンツを前記コンテンツ提供装置に転送することを特徴とする。
【００１８】
本発明の他の側面によるコンテンツ提供装置は、ユーザの位置を検知する位置検知部と、ユーザの動作を認識する動作認識部と、ユーザの位置検知信号及び動作認識信号をコンテンツ提供サーバに送信し、ユーザの生体信号を検知する生体信号検知部から生体信号を受信し、前記コンテンツ提供サーバからコンテンツを受信する通信部と、前記受信したコンテンツを提供する表示部とを含む。
【００１９】
本発明で前記通信部は、ユーザの心拍数、温度又は呼吸周期のうちの少なくとも１つの生体信号を前記コンテンツ提供サーバに送信することを特徴とする。
【００２０】
本発明で前記コンテンツ提供装置は、ナビゲーションシステム又はスマートフォンを含むことを特徴とする。
【００２１】
本発明で前記コンテンツ提供装置は、メガネ又は時計のうちの１つである別途の表示部を更に含むことを特徴とする。
【００２２】
本発明で前記メガネは、既に設定されている基準に従って左側又は右側レンズを選択して前記コンテンツを提供することを特徴とする。
【００２３】
本発明で前記メガネは、前記左側又は右側レンズの上、下、左、右領域に前記コンテンツを提供することを特徴とする。
【００２４】
本発明の更に他の側面によるコンテンツ提供サーバは、コンテンツ提供装置からユーザの位置検知信号、動作認識信号及び生体信号を受信する追加通信部と、コンテンツ提供装置に提供する１つ以上のコンテンツが格納されたメモリ部と、前記位置検知信号及び前記動作認識信号に基づいてユーザの状態を決定し、前記決定されたユーザの状態を用いて把握されたユーザの位置及び生体信号に基づいてユーザの生体活動を予測し、前記予測されたユーザの生体活動に対応するコンテンツを前記メモリ部から検出して前記通信部を介して前記コンテンツ提供装置に転送する制御部とを含む。
【００２５】
本発明で前記制御部は、ユーザの心拍数、温度又は呼吸周期のうちの少なくとも１つの生体信号に基づいて前記ユーザの生体活動を予測することを特徴とする。
【００２６】
本発明で前記制御部は、健康情報、天気情報、経路情報、交通情報、ニュース情報又は広告のうちの少なくとも１つのコンテンツを前記コンテンツ提供装置に転送することを特徴とする。
【発明の効果】
【００２７】
本発明によるコンテンツ提供装置及びサーバは、ユーザの位置及び生体活動を検知し、ユーザの正確な位置を抽出して能動的にユーザに適したコンテンツを提供するため、ユーザの利便性を向上させ、満足度を向上させることができるという効果を奏する。
【図面の簡単な説明】
【００２８】
【図１】本発明の一実施形態によるコンテンツ提供装置及びサーバの機能ブロック図である。
【図２】本発明の一実施形態によるコンテンツ提供方法の実現過程を説明する手順フローチャートである。
【図３】本発明の一実施形態によるコンテンツ提供サーバからコンテンツ提供装置に転送するコンテンツを抽出する過程を具体的に説明する手順フローチャートである。
【発明を実施するための形態】
【００２９】
以下では、本発明の一実施形態によるコンテンツ提供装置、その提供方法及びサーバを添付の図面を参照して詳細に説明する。この過程で図面に示された線の太さや構成要素の大きさなどは説明の明瞭性と便宜上、誇張して示されることもあり得る。また、後述する用語は、本発明での機能を考慮して定義された用語であって、これはユーザ、運用者の意図又は慣例によって変わり得る。従って、これらの用語についての定義は、本明細書全般に亘る内容に基づいて行われるべきである。
【００３０】
図１は、本発明の一実施形態によるコンテンツ提供装置及びサーバの機能ブロック図である。
【００３１】
図１を参照すれば、本発明の一実施形態によるコンテンツ提供装置２００は、通信部２２０、位置検知部２４０、動作認識部２６０及び表示部２８０を含む。
【００３２】
通信部２２０は、後述する位置検知部２４０で検知されたユーザの位置検知信号と動作認識部２６０で認識されたユーザの動作認識信号をコンテンツ提供サーバ１００に送信し、生体信号検知部３００から検知されたユーザの生体信号を受信し、コンテンツ提供サーバ１００からユーザの位置及び生体信号に対応するコンテンツを受信する。
【００３３】
生体信号検知部３００は、ユーザの生体信号を検知する装置であって、特に本実施形態で生体信号検知部３００は、心拍数センサー３２０、温度センサー３４０及びマイクロホン３６０を含んで心拍数、体温及び呼吸周期に対する生体信号を収集する。
【００３４】
生体信号検知部３００は、ユーザの生体信号検知の正確性のために、本実施形態によるコンテンツ提供装置２００とは別途に、ユーザが着用可能なメガネや時計のような装置に含まれてもよいが、これに限定されるものではないので、コンテンツ提供装置２００と一体型に形成されてもよい。
【００３５】
位置検知部２４０は、座標情報を受信して位置を検知する装置であって、特に、本実施形態で位置検知部２４０は、ＧＰＳ２４２とＷＰＳ（Ｗｉｆｉ-ｂａｓｅｄ Ｐｏｓｉｔｉｏｎｉｎｇ Ｓｙｓｔｅｍ）２４４を含んでコンテンツ提供装置２００を所持しているユーザの位置を検知する。
【００３６】
具体的に、ＧＰＳ２４２は、１つ以上のＧＰＳ衛星４００から座標情報を受信し、ＷＰＳ２４４は、Ｗｉｆｉで入力される無線ＡＰ（Ａｃｃｅｓｓ Ｐｏｉｎｔ）の情報を受信して位置を検知する。
【００３７】
このとき、ユーザが室内にいれば、ＧＰＳ２４２の受信信号の強度がＷＰＳ２４４の受信信号の強度よりも相対的に弱く、ユーザが室外にいれば、ＧＰＳ２４２の受信信号の強度がＷＰＳ２４４の受信信号の強度よりも相対的に強く検知される。
【００３８】
従って、後述するコンテンツ提供サーバ１００では、ＧＰＳ２４２からの受信情報に基づいて室外に位置するユーザの位置を決定し、ＷＰＳ２４４からの受信情報に基づいて室内に位置するユーザの位置を決定できる。
【００３９】
動作認識部２６０は、ユーザの動作を認識する装置であって、特に、本実施形態で動作認識部２６０は、ユーザの加速度を検知する加速度センサー２６２又はユーザの回転慣性を検知するジャイロ（Ｇｙｒｏｓｃｏｐｅ）センサー２６４を含んでコンテンツ提供装置２００を所持しているユーザの動作を認識する。
【００４０】
表示部２８０は、通信部２２０を介して受信したコンテンツをユーザに提供する。
【００４１】
本実施形態によるコンテンツ提供装置２００は、別途の制御部（図示せず）を含むことで、位置検知部２４０、動作認識部２６０及び表示部２８０などの動作を制御することも可能である。
【００４２】
更に、目的地までの経路は必ずしもコンテンツ提供装置２００に含まれている表示部２８０を介してのみ案内されるべきではないので、前述した生体信号検知部３００が含まれているメガネや時計などに表示されるようにすることもできる。
【００４３】
即ち、本実施形態では、コンテンツ提供サーバ１００から受信したコンテンツを通信部２２０を介してメガネや時計などに転送することで、多様な表示装置を介してユーザにコンテンツを提供できる。
【００４４】
特に、コンテンツ提供サーバ１００から受信したコンテンツが目的地までの経路情報である場合には、ＴＢＴ（Ｔｕｒｎ Ｂｙ Ｔｕｒｎ）形態の簡略な経路案内情報をメガネや時計などに転送することもできる。
【００４５】
追加で、メガネや時計自体が本実施形態によるコンテンツ提供装置２００になることもでき、この場合には、通信部２２０を介して受信したコンテンツを多様な方法で表示できる。
【００４６】
一例として、受信したコンテンツを既に設定されている基準に従って左側又は右側レンズを選択してコンテンツを提供するか、左側又は右側レンズの上、下、左、右領域のうちの一領域にコンテンツを提供することが可能である。
【００４７】
このとき、既に設定されている基準は、提供するコンテンツの種類やユーザの選好度などになり得る。即ち、コンテンツの種類によって提供される位置が異なるように予め設定しておいたり、ユーザが好む位置に提供されるように設定でき、追加で多様な要因を考慮できる。
【００４８】
本実施形態によるコンテンツ提供サーバ１００は、追加通信部１２０、制御部１４０及びメモリ部１６０を含む。
【００４９】
追加通信部１２０は、コンテンツ提供装置２００からユーザの位置検知信号、動作認識信号及び生体信号を受信し、制御部１４０によってメモリ部１６０から抽出されたコンテンツをコンテンツ提供装置２００に送る。
【００５０】
このとき、ユーザの生体信号は、必ずしもコンテンツ提供装置２００から受信すべきものではなく、生体信号検知部３００から直接受信することも可能である。
【００５１】
制御部１４０は、追加通信部１２０を介して受信した位置検知信号及び動作認識信号に基づいてユーザの状態を決定し、決定されたユーザの状態を用いて把握されたユーザの位置及び生体信号に基づいてユーザの生体活動を予測し、予測された生体活動に対応するコンテンツをメモリ部１６０から抽出する。ここで、ユーザの状態は例えば、ユーザの位置が室内か、室外（自転車道路、登山道、徒歩用道路又は自動車道路など）か、ユーザがどの程度の加速度で移動するか、そしてユーザにどの程度の振動が発生するかを含む。
【００５２】
前述のように、コンテンツ提供装置２００の動作認識部２６０は、加速度センサー２６２及びジャイロセンサー２６４を含むため、前記センサーを通じてユーザがどの程度の加速度で移動するか、そしてユーザにどの程度の振動が発生するかを検知できる。
【００５３】
制御部１４０が位置検知信号と動作認識信号に基づいてユーザの状態を決定し、決定されたユーザの状態を用いてユーザの位置を決定する例を説明すると、下記の表１の通りである。
【００５４】
【表１】
2015011699.tif 000003
（但し、第１加速度は、普通の人間が徒歩で移動する際の加速度の最大値を意味し、第２加速度よりも小さな値を有し、第２加速度は、自転車で移動する際の加速度の最大値を意味する。第１振動値は、普通の人間が徒歩で移動する際の振動値の最小値を意味し、第２振動値よりも大きな値を有し、第２振動値は、自転車で移動する際の振動値の最小値を意味する。）
【００５５】
表１に示すように、加速度が第２加速度以上で相対的に最も速く、振動の発生が第２振動値以下で相対的に最も小さい場合には、揺れなくユーザが速く移動することを意味するので、ユーザが自動車専用道路で車両を通じて移動中であると決定できる。
【００５６】
そして、加速度が第１加速度以上で中間程度の速さを有し、振動の発生が第１振動値以下である場合には、揺れる状況でユーザが適当な速さで移動することを意味するので、ユーザが自転車専用道路で自転車で移動中であると決定できる。
【００５７】
また、加速度が第１加速度未満で相対的に最も遅く、振動の発生が第１振動値を超えて相対的に大きい場合には、揺れの多い状況でユーザが遅く移動することを意味するので、ユーザが徒歩経路で歩いて移動中であると決定できる。
【００５８】
但し、加速度が第１加速度未満であり、振動の発生が第１振動値を超える場合に、ユーザは徒歩経路ではない登山道で歩いていることもあり得るが、前述のように、制御部１４０は、位置検知部２４０を介してユーザの座標情報を受信するため、ユーザの座標情報周辺が登山道か、徒歩経路かによってユーザの位置を正確に決定できる。
【００５９】
そして、前述のように、制御部１４０は、位置検知部２４０のＧＰＳ２４２又はＷＰＳ２４４の受信信号の強度に基づいてユーザの位置が室内か室外かを判断できるので、ユーザの位置が室内か室外かを判断し、ユーザが室外にいれば、表１を参照して室外でユーザの具体的な位置を決定できる。
【００６０】
即ち、ユーザが室外に位置していることが検知されたとき、制御部１４０は、前述のように、動作認識部２６０を通じて認識されたユーザの動作特性を考慮してユーザの位置を決定し、ユーザが室内に位置していることが検知された場合には、ＷＰＳ２４４からの受信信号に基づいてユーザの位置を決定できる。
【００６１】
このとき、メモリ部１６０には、コンテンツ提供装置２００に提供する１つ以上のコンテンツが格納されており、特に、本実施形態でメモリ部１６０は、健康情報、天気情報、経路情報、交通情報、ニュース情報又は広告に関するコンテンツを格納している。
【００６２】
そして、前述のように、ユーザの位置を登山道、自転車専用道路、徒歩又は室内のうちの１つに決定するため、経路情報と関連してメモリ部１６０には、登山道地図、自転車専用道路地図、自動車専用道路地図、徒歩経路地図又は室内地図などの細部的な地図データが格納されている。
【００６３】
従って、制御部１４０は、コンテンツ提供装置２００に経路情報を転送しようとする場合には、決定されたユーザの位置によってその位置に対応する地図を、通信部１２０を介してコンテンツ提供装置２００に転送する。
【００６４】
即ち、ユーザが登山道にいることが決定されれば、制御部１４０は、メモリ部１６０で登山道地図を検出して該当地図データをコンテンツ提供装置２００に転送し、ユーザが自転車専用道路にいることが決定されれば、制御部１４０は自転車専用道路地図データをコンテンツ提供装置２００に転送する。
【００６５】
同様に、ユーザが室内にいることが決定されれば、制御部１４０は、メモリ部１６０の室内地図の中でユーザの位置に対応するデパート、商店街、ショッピングモール又は地下鉄の駅の内部地図を検出して該当室内地図データをコンテンツ提供装置２００に転送する。
【００６６】
前述した例はユーザの位置を決定し、それに対応する経路情報関連のコンテンツをコンテンツ提供装置２００に転送する場合を説明したものであって、以下では、ユーザの具体的な生体活動を予測して健康情報、天気情報、交通情報、ニュース情報又は広告などを転送する場合を説明する。
【００６７】
前述のように、生体信号検知部３００は、心拍数センサー３２０、温度センサー３４０及びマイクロホン３６０のうちの少なくとも１つを含むことができるので、ユーザの位置と生体信号検知値を考慮して制御部１４０はユーザがいかなる活動をしているか生体活動を予測することで、コンテンツ提供装置２００に転送するコンテンツを選択する。
【００６８】
まず、生体信号検知部３００の生体信号検知値に基づいてユーザの生体活動を予測する例を説明すると、下記の表２の通りである。
【００６９】
【表２】
2015011699.tif 000004
（但し、第１心拍数は、睡眠時又は特別な動作がない場合の心拍数を意味し、第２心拍数よりも小さな値を有し、第２心拍数は、徒歩で移動する場合の心拍数を意味し、第３心拍数よりも小さな値を有し、第３心拍数は、自転車に乗る場合の心拍数の最大値を意味する。
第１体温は、睡眠時又は特別な動作がない場合の体温を意味し、第２体温よりも低い値を有し、第２体温は、徒歩で移動する場合に上昇した体温を意味し、第３体温よりも低い値を有し、第３体温は、自転車に乗る場合に上昇した体温の最大値を意味する。）
【００７０】
表２に示すように、心拍数が第１心拍数以下で相対的に最も小さく、体温が第１体温以下であり、呼吸が規則的であると測定されれば、ユーザが室内又は自動車の内部で睡眠中であることが予測できる。
【００７１】
そして、心拍数が第２心拍数以下であり、体温が第２体温以下であり、呼吸が規則的であると測定されれば、ユーザが徒歩で移動中であることが予想でき、このような方式で走ったり、自転車に乗ったり、自動車に搭乗するなどのユーザの生体活動を予測できる。
【００７２】
特に、ユーザが睡眠中である場合と自動車に乗っている場合には、ユーザの生体信号が類似に検知され得るが、表１で説明した例を共に考慮すれば、類似の生体信号が検知されても、決定されたユーザの位置を考慮すれば、室内で睡眠中であるか、自動車の内部で睡眠中であるかなどを区別できる。
【００７３】
制御部１４０は、表１を通じて決定したユーザの位置と表２に記載されたユーザの生体信号に基づいてユーザの生体活動を予測でき、予測したユーザの生体活動に対応するコンテンツをコンテンツ提供装置２００に転送する。
【００７４】
前述のように、制御部１４０は、健康情報、天気情報、経路情報、交通情報、ニュース情報又は広告のうちの少なくとも１つのコンテンツを転送できる。
【００７５】
第一に、ユーザの位置が室内であることが決定されるか、ユーザが睡眠中であることが予測されれば、制御部１４０は、健康情報、天気情報、経路情報、交通情報、ニュース情報などのコンテンツを転送する。
【００７６】
即ち、ユーザが室内にいるか、睡眠中である場合は、通常の生体信号が検知されるため、これに基づいてユーザの健康をチェックし、その結果に関する情報を転送でき、室内から室外に移動する目的地が設定されている場合に、移動時間中の天気、経路及び交通情報を提供でき、当日のニュース情報を転送できる。
【００７７】
特に、経路及び交通情報の提供と関連して目的地と目的地までの到着予定時間が設定されていれば、到着予定時間以内に該当目的地まで到達できる経路情報、交通情報を転送できる。
【００７８】
このとき、コンテンツ提供サーバ１００で目的地と目的地までの到着予定時間が設定されているか否かを判断する過程は、コンテンツ提供装置２００を介して入力を受けた目的地と到着予定時間に関する内容を受信することによって実行され得る。
【００７９】
また、前述した経路情報及び交通情報は、公共交通機関に関する情報を含むので、制御部１４０は、どこに位置する停留所又は地下鉄の駅から出発しなければならないかのような公共交通機関に関する交通情報及び出発時間を含む情報などを転送できる。
【００８０】
そして、コンテンツ提供装置２００は、ユーザの定期的な外出時点や定期的に移動する目的地などに関する生活パターンを累積して格納でき、生活パターンを共に受信したコンテンツ提供サーバ１００は、生活パターンに基づいて到着予定時間に目的地に到達できる経路情報、公共交通機関を含む交通情報及び出発時間を含むコンテンツを転送できる。
【００８１】
第二に、ユーザが徒歩で移動中であることが予測されれば、制御部１４０は、天気情報、徒歩に関する経路情報、交通情報、広告などのコンテンツを転送する。
【００８２】
即ち、ユーザが徒歩で移動中である場合には、天気によって移動が制限される場合があり得るので、当日の天気情報を転送でき、目的地が設定されている場合に、該当目的地までの経路及び交通情報を転送でき、周辺に位置する商店や飲食店などに関する広告を転送できる。
【００８３】
具体的に、目的地と目的地までの到着予定時間が設定されている場合には、前述のように、到着予定時間に目的地に到達できる経路情報を提供し、約束時間に到着が間に合わないと判断されれば、周辺の公共交通機関を検索して共に提供でき、到着予定時間までの天気情報を具体的に転送できる。
【００８４】
反面、目的地が設定されていない場合には、天気情報によってユーザに公共交通機関を案内したり、室内に移動することを提案でき、その他傘又は日傘などのように天気情報によって必要な物品を購買できる場所を案内することもできる。
【００８５】
また、経路情報は、多様な形態で示すことができるので、前述したＴＢＴ形態、拡張現実などでコンテンツ提供装置２００の表示部２８０、時計又はメガネなどで表示され得る。
【００８６】
追加で、以前に移動経験のある同一経路を移動する場合には、該当ユーザの以前の移動速度と位置を経路上に共に提供することで、現在の自身の移動動向と比較できるように、画面に表示できる。
【００８７】
そして、ユーザが移動する周辺の商店や飲食店などに関する広告は、ユーザの年齢、性別、趣味、累積されたユーザの選択目録などの統計によって選択して転送できる。
【００８８】
第三に、ユーザが走っていることが予測されれば、制御部１４０は、健康情報、天気情報、経路情報、広告などのコンテンツを転送する。
【００８９】
即ち、ユーザが走っている時は、心拍数、体温などに基づいて健康状態をチェックして健康情報を提供でき、当日の天気情報を転送でき、休息が取れる周辺場所までの経路や、周辺商店又は飲食店などに関する広告を転送でき、走った時間、経路情報又は消費したカロリー情報なども転送できる。
【００９０】
特に、転送する経路が以前にユーザに転送したことのある経路であれば、該当経路情報にユーザの以前の移動速度と位置を含んで経路情報を転送できる。
【００９１】
第四に、ユーザが自転車に乗っていることが予測されれば、制御部１４０は、健康情報、天気情報、自転車専用道路に関する経路情報、広告などのコンテンツを提供する。
【００９２】
即ち、ユーザが自転車に乗っている時は、心拍数、体温などに基づいて健康状態をチェックして健康情報を提供でき、当日の天気情報を転送でき、休息が取れる周辺場所までの経路や、周辺商店又は飲食店などに関する広告を転送でき、走った時間、経路情報又は消費したカロリーなども転送できる。そして、ユーザが移動する経路周辺で自転車修理店に関する情報を転送することもできる。
【００９３】
具体的に、目的地が設定されている場合は、目的地までの経路情報を提供し、約束時間に到着が間に合わないと判断されれば、周辺の公共交通機関を検索して共に提供でき、到着予定時間までの天気情報を具体的に転送できる。
【００９４】
反面、目的地が設定されていない場合には、天気情報によってユーザに公共交通機関を案内したり、室内に移動することを提案でき、その他傘又は日傘などのように天気情報によって必要な物品を購買できる場所を案内することもできる。
【００９５】
また、経路情報は、多様な形態で示すことができるので、前述したＴＢＴ形態、拡張現実などでコンテンツ提供装置２００の表示部２８０、時計又はメガネなどで表示され得る。
【００９６】
追加で、以前に移動経験のある同一経路を移動する場合には、該当ユーザの以前の移動速度と位置を経路上に共に提供することで、現在の自身の移動動向と比較できるように、画面に表示できる。
【００９７】
第五に、ユーザが登山中であることが予測されれば、制御部１４０は、健康情報、天気情報、登山道に関する経路情報などのコンテンツを提供する。
【００９８】
即ち、ユーザが登山中である時は、心拍数、体温などに基づいて健康状態をチェックして健康情報を提供でき、当日の日の出、日没時間のような天気情報を提供でき、頂上まで登る経路又はトイレット、休憩場所、待避所まで移動する経路情報などを提供できる。
【００９９】
具体的に、目的地が設定されている場合は、日没時間を考慮してユーザの予想下山時間を予測できるので、これを警告するための情報や登山道に位置する近くの待避所に移動する経路情報を提供でき、到着予定時間までの天気情報を具体的に転送できる。
【０１００】
反面、目的地が設定されていない場合には、天気情報によってユーザに待避所のような室内に移動することを提案する情報を転送できる。
【０１０１】
また、経路情報は、多様な形態で示すことができるので、前述したＴＢＴ形態、拡張現実などでコンテンツ提供装置２００の表示部２８０、時計又はメガネなどで表示され得る。
【０１０２】
追加で、以前に移動経験のある同一経路を移動する場合には、該当ユーザの以前の移動速度と位置を経路上に共に提供することで、現在の自身の移動動向と比較できるように、画面に表示できる。
【０１０３】
第六に、ユーザが自動車で移動中であることが予測されれば、自動車専用道路に関する経路情報、交通情報、ニュース情報、広告などのコンテンツを提供する。
【０１０４】
即ち、ユーザが自動車で移動中である場合は、目的地までの経路及び交通情報を提供でき、当日のニュース情報と目的地までの経路上に位置する商店や飲食店などに関する広告を転送できる。
【０１０５】
特に、経路及び交通情報の提供と関連して目的地と目的地までの到着予定時間が設定されていれば、該当目的地までの移動時間を予想して出発時間を案内しながら、該当目的地までの経路、交通情報を転送できる。
【０１０６】
本実施形態によるコンテンツ提供装置２００は、ユーザにコンテンツを提供できればよいので、スマートフォンやＰＮＤ（Ｐｅｒｓｏｎａｌ Ｎａｖｉｇａｔｉｏｎ Ｄｅｖｉｃｅ）などの多様な装置を含むことができる。
【０１０７】
図２は、本発明の一実施形態によるコンテンツ提供方法の実現過程を説明する手順フローチャートである。
【０１０８】
図３は、本発明の一実施形態によるコンテンツ提供サーバからコンテンツ提供装置に転送するコンテンツを抽出する過程を具体的に説明する手順フローチャートである。
【０１０９】
図２及び図３を参照して本発明の一実施形態によるコンテンツ提供方法を説明すると、まず、ユーザからコンテンツ提供要請の入力を受ければ、コンテンツ提供装置２００は、位置検知部２４０で検知したユーザの位置検知信号をコンテンツ提供サーバ１００に送信し（Ｓ１０）、動作認識部２６０で認識したユーザの動作認識信号をコンテンツ提供サーバ１００に送信する（Ｓ２０）。
【０１１０】
そして、コンテンツ提供装置２００は、生体信号検知部３００が検知したユーザの生体信号を受信でき、受信したユーザの生体信号をコンテンツ提供サーバ１００に送信する（Ｓ３０）。
【０１１１】
このとき、ユーザの位置検知信号、動作認識信号及び生体信号をサーバ１００に送信する過程（Ｓ１０〜Ｓ３０）でそれぞれの信号の送信は、前述した順序に限定されるものではないので、多様な順序でそれぞれの信号を送信できる。
【０１１２】
次に、コンテンツ提供サーバ１００は、受信したユーザの位置検知信号、動作認識信号に基づいてユーザの状態を決定し（Ｓ４０）、決定されたユーザの状態を用いて把握されたユーザの位置及び受信した生体信号に基づいてユーザの生体活動を予測する（Ｓ５０）。
【０１１３】
具体的に、コンテンツ提供サーバ１００は、受信した位置検知信号からユーザが位置する座標情報を抽出し、受信した動作認識信号に基づいて座標情報を補正することによって、ユーザの位置を決定できる。
【０１１４】
即ち、ＧＰＳ２４２衛星から受信する位置情報は、ある程度の誤差が含まれているため、本実施形態で制御部１４０は、ユーザの動作特性を参照してユーザの正確な位置を決定できる。
【０１１５】
但し、ユーザの位置を決定する方法は、これに限定されるものではないので、その他公知又は公知されていない多様な方法でユーザの位置を決定できる。
【０１１６】
そして、図３を参照してコンテンツ提供サーバ１００から予測されたユーザの生体活動に対応するコンテンツを抽出する過程を具体的に説明すると、前述した段階（Ｓ５０）で予測したユーザの生体活動は、睡眠、徒歩、走り、自転車乗り、登山、自動車搭乗になり得る。
【０１１７】
このとき、ユーザが睡眠中であることが予測されれば（Ｓ５１）、コンテンツ提供サーバ１００の制御部１４０は、健康情報、天気情報、経路情報、交通情報、ニュース情報を転送するコンテンツとして抽出する（Ｓ６１）。
【０１１８】
ユーザが徒歩中であることが予測されれば（Ｓ５２）、制御部１４０は、天気情報、徒歩に関する経路情報、交通情報、広告を転送するコンテンツとして抽出する（Ｓ６２）。
【０１１９】
ユーザが走っていることが予測されれば（Ｓ５３）、制御部１４０は、健康情報、天気情報、経路情報、広告を転送するコンテンツとして抽出する（Ｓ６３）。
【０１２０】
ユーザが自転車に乗っていることが予測されれば（Ｓ５４）、制御部１４０は、健康情報、天気情報、自転車専用道路に関する経路情報、広告を転送するコンテンツとして抽出する（Ｓ６４）。
【０１２１】
ユーザが登山中であることが予測されれば（Ｓ５５）、制御部１４０は、健康情報、天気情報、登山道に関する経路情報を転送するコンテンツとして抽出する（Ｓ６５）。
【０１２２】
ユーザが自動車に乗っていることが予測されれば（Ｓ５６）、制御部１４０は、自動車専用道路に関する経路情報、交通情報、ニュース情報、広告を転送するコンテンツとして抽出する（Ｓ６６）。
【０１２３】
コンテンツを抽出する前述した段階（Ｓ６１〜Ｓ６６）で抽出する健康情報、天気情報、経路情報、交通情報、ニュース情報、広告などのコンテンツの具体的な内容は、ユーザの位置と生体活動によって変更して転送できる。
【０１２４】
そして、コンテンツ提供サーバ１００は、決定されたユーザの状態を用いて把握されたユーザの位置及び予測されたユーザの生体活動に対応するコンテンツをコンテンツ提供装置２００に転送し（Ｓ７０）、コンテンツ提供装置２００は、転送されたコンテンツをユーザに提供する（Ｓ８０）。
【０１２５】
本実施形態によれば、ユーザの位置及び生体活動を検知し、ユーザの正確な位置を抽出して能動的にユーザに必要なコンテンツを提供するため、ユーザの利便性を向上させ、満足度を向上させることができる。
【０１２６】
本発明は、図面に示す実施形態を参照して説明されたが、これは例示的なものに過ぎず、当該技術の属する技術分野における通常の知識を有する者であれば、これより多様な変形及び均等な他の実施形態が可能であるという点が理解できる。従って、本発明の真の技術的保護範囲は、下記の特許請求の範囲によって定められるべきである。
【符号の説明】
【０１２７】
１００    サーバ
１２０    追加通信部
１４０    制御部
１６０    メモリ部
２００    コンテンツ提供装置
２２０    通信部
２４０    位置検知部
２４２    ＧＰＳ
２４４    ＷＰＳ
２６０    動作認識部
２６２    加速度センサー
２６４    ジャイロセンサー
３００    生体信号検知部
３２０    心拍数センサー
３４０    温度センサー
３６０    マイクロホン
【図１】
2015011699.tif 000005
【図２】
2015011699.tif 000006
【図３】
2015011699.tif 000007